(57)【要約】    電磁コア積層体パッケージを製造する装置（３）の電磁コア積層体パッケージを保持する装置は、個々の積層体（４）の製造及びパッケージ（５）に積層体（４）を相互結合する前記装置（３）のヨーク（２）から距離を置いて配置されたパネル（１）内に取り付けられ、加圧された作動オイル、検知器、制御ユニット、及びイジェクタ（Ｂ）の集合体のような周辺装置を備える。本発明の装置は、前記パネル（１）内部のシリンダ（７）が前記ヨーク（２）内部のスリーブ（６）と同軸の穿孔（１２）を備えたピストンロッド（９）を有するシリンダ（７）ハウジングの液圧式ピストン（８）と同軸で配置され、前記スリーブ（６）に近接した前記ピストン（８）の頂部に回動自在に取り付けられると同時にバネ（１１）によって前記ピストン（８）に支持されているパネル（１０）を備え、さらに前記ピストンロッド（９）が前記ピストンロッド（９）と前記シリンダ（７）との間に２つの空間（１５）及び（１６）を形成するために相互に距離を置いた３つのガスケット（１４）によって離間して前記シリンダ（７）の内部に導入されるよう形成され、さらに前記ピストンロッド（９）の中央区分（９ａ）が薄型であり、２つの空間（１５）及び（１６）が空間（１５）及び（１６）のどちらか一方に加圧された作動オイルを交互に供給するための液圧式接続（１７）及び（１８）を設けている。  【選択図】  図１
2013509854.tif 000002
【特許請求の範囲】
【請求項１】
パネル（１）内に取り付けられる電磁コア積層体（４）のパッケージ（５）を製造する装置（３）に電磁コア積層体のパッケージを保持する保持装置であって、前記パネル（１）が個々の積層体（４）の製造及びパッケージ（５）に積層体（４）を相互結合する装置（３）のヨーク（２）から距離を置いて配置され、加圧された作動オイル、検知器、制御ユニット、及びイジェクタ（Ｂ）の集合体のような周辺装置を備える保持装置において、
前記パネル（１）内にシリンダ（７）が前記ヨーク（２）内のスリーブ（６）と同軸に配置され、前記シリンダ（７）が同軸の穿孔（１２）を備えたピストンロッド（９）を有する液圧式ピストン（８）を収容し、前記スリーブ（６）に隣接した前記ピストン（８）の頂部に、回動自在に取り付けられたパネル（１０）が設けられ、前記パネル（１０）が同時にバネ（１１）によって前記ピストン（８）に支持され、さらに前記ピストンロッド（９）が、前記ピストンロッド（９）と前記シリンダ（７）との間に２つの空間（１５）及び（１６）を形成するために、相互に距離を置いた３つのガスケット（１４）によって離間して前記シリンダ（７）の内部に導入され、さらに、前記ピストンロッド（９）の中央部分（９ａ）が薄く、２つの空間（１５）及び（１６）には、空間（１５）及び（１６）のどちらか一方に加圧された作動オイルを交互に供給するための液圧式接続部（１７）及び（１８）が設けられていること、
を特徴とする装置。
【請求項２】
前記パネル（１０）が前記バネ（１１）で支持され、同時に調節ネジ（２０）によってガイド（１９）内部に軸方向に導入され、検知器（２１）が調節ネジ（２０）の真下にある前記ピストンロッド（９）の頂部に配置され、前記検知器（２１）が最終位置或いは前記スリーブ（６）内の加工されたパッケージ（５）の前記第一積層体（４）に対して動作中の前記ピストン（８）の当接を検知することを特徴とする請求項１に記載の装置。
【請求項３】
前記パネル（１）と前記ヨーク（２）との間の距離が、各パッケージ（５）の高さ（軸方向の長さ）に等しいか或いは上回ることを特徴とする請求項１または２に記載の装置。
【発明の詳細な説明】
【技術分野】
【０００１】
発明の主題
本発明の主題は、例えば電子モーターの固定子や回転子、発電機、さらにはその他の形式の電磁石用の電磁コア積層体のパッケージを製造する装置に電磁コア積層体のパッケージを保持するための装置にある。
【背景技術】
【０００２】
本発明によって解決される技術的問題点は、性能向上という観点で上記パッケージを生産する機械に配置できるこの種の保持装置を如何に設計するかにあり、積層体は、クランプによって等距離で結合され、最小限のクリアランスを有して最適な電磁界の形成及び積層体パッケージの均一な配列を提供する。
【０００３】
この種の公知の装置はダイプレートの真下でダイカッターのヨークに設けられ、かかるダイカッターは、個々の結合した積層体を断面の減少したスリーブの形態に切断して、上記スリーブがクランプの更なるパンチングにおいて抵抗（反力）を生じさせるような摩擦を伴って移動できるようにしている。上記反力を増大させるために、ダイプレートの出力側に管状ガイドが配置され、製造された積層体のパッケージが管状ガイドを移動して摩擦を引き起こす。この解決策の欠点は、積層体のパッケージがガイドを離れた後でないとパッケージに起こり得るエラーが現れないという点にある。これは認知以前に相当多くのパッケージにエラーが存在することを意味する。巨大なスクラップである。ガイドの出力端部につながる全ての工程でダイプレートから伸びる領域からエラーパッケージを手動で取り除かなければならないため、製造工程を停止してはまた起動する繰り返しが比較的長い時間を要する。高レベルのスクラップによる製造工程への負担、エラーを修正するのに掛かる時間の長さによって著しく製造コストを増大させてしまうことになる。
【０００４】
そのため、このような保持装置の上記欠点を排除する必要性がある。
【発明の概要】
【発明が解決しようとする課題】
【０００５】
上述の技術的な問題点は、ダイプレート内部の既知スリーブの下に、適応された保持装置好ましくは液圧式保持装置を有し、十分な反力を穿孔力に対して発揮するようにクランプパンチング（穿孔）による十分な支持を各積層体に提供してクランプによる高品質の積層体結合を保証することを特徴とする本発明による保持装置によって解決される。その結果、スクラップは相当に減少する。本発明による保持装置は、結合した積層体の回動を妨げることがなく個々の積層体の不均等な厚みを補う。そうでなければ積層体パッケージを軸方向に曲げてしまうことになる。
【０００６】
本発明は、実施形態及び添付図面を参照してさらに詳細に説明される。
【図面の簡単な説明】
【０００７】
【図１】本発明による保持装置の縦断面図。
【発明を実施するための形態】
【０００８】
電磁コア積層体のパッケージを製造する装置における電磁コア積層体のパッケージを保持するための装置は、パッケージの下方第一積層体を支持して、支持ピストンが前記スリーブ内を軸方向に移動するように装置のヨーク内のスリーブから上記コア積層体のパッケージの出力側に配置され、よって各積層体が結合された後に１つの積層体の厚みで後退するものの、次の積層体のクランプ穿孔過程で再度支持するようにされている。コア積層体のパッケージ全体が完成した後、支持ピストンの頂部はパネルのレベルに位置し、そこで完成したパッケージは特殊な自動排出装置によって横方向に変位され、保持装置は次のパッケージ製造において支持する状態になっている。
【０００９】
電磁コア積層体のパッケージを製造する装置３において電磁コア積層体のパッケージを保持するための装置は、個々の積層体４の製造及びパッケージ５に積層体４を相互結合するために、前記装置３のヨーク２から距離を置いて配置されたパネル１に装着される。前記パネル１と前記ヨーク２との間の距離は各パッケージ５の高さ（軸方向の長さ）に等しいか或いは上回っている。前記パネル１内にはシリンダ７が前記ヨーク２内部のスリーブ６と同軸に配置され、前記シリンダ７は液圧式ピストン８を収容し、ピストン８はピストンロッド９を備えている。前記スリーブ６に隣接した前記ピストン８の頂部には、上述の目的で部分的に加工されたパッケージ５を回動させるために回動自在に取り付けられたパネル１０が設けられている。前記パネル１０は同時にバネ１１によって前記ピストン８上に支持され、バネ１１は、新たに製造されるパッケージ５の前記第一の積層体４に向かって前記ピストン８を正確に接近させ、これについては引き続き以下に詳細に説明する。前記ピストン８は、その中心に沿って穿孔１２を備えた前記ピストンロッド９によって支持されている。前記ピストンロッド９と前記シリンダ７との間に２つの空間１５及び１６を形成するために、前記ピストンロッド９は相互に距離を置いた３つのガスケット１４によって離間して前記シリンダ７内部に導入される。前記ピストンロッド９の中央部分９ａは薄い。液圧式接続部１７及び１８は空間１５及び１６の両方に接続されている。前記ピストン８の前記ピストンロッド９は、空間１５及び１６のどちらか一方に加圧油を交互に供給することによって軸方向に動く。
【００１０】
前記バネ１１で支持されたパネル１０は、調節ネジ２０によってガイド１９内部に軸方向に導入される。同時に検知器２１は前記ピストンロッド９の空洞の頂部に配置され、前記検知器２１は最終位置、正確にはスリーブ６の内部で加工されたパッケージ５の前記第一積層体４に対して動作中の前記ピストン８の当接を検知する。
【００１１】
２つの空間１５及び１６の油圧オイルは、本発明の主題ではない集合体で作られており図面には示されていない。空間１５及び１６内へのオイル供給制御回路も本発明の主題ではない。前記ピストンロッド９の現在位置を検知するための前記ピストンロッド９の外側部分９ｂにある別の検知器２２も本発明の主題ではない。それらは、積層体４のダイカッターの切断周期に応じたピストンロッド９の動き及び個々の隣接する各積層体４同士間のクランプの配置さらにパッケージ５の最終長の決定そしてパッケージ５の最終取り出しの決定を制御する制御装置を機能させるためには必要である。
【００１２】
本発明による装置は以下のように機能する：
前記空間１６内部の油圧オイルは、前記ピストンロッド９を前記スリーブ６内の前記第一積層体４に接近させる。前記スリーブ６に対する前記ピストンロッド９の当接は、前記パネル１０を前記ピストンロッド９に接近させる前記バネ１１によって吸収され、前記調節ネジ２０が前記検知器２１に接触するまで軸方向に動き続ける。この地点でオイル供給は中断する。その後、装置Ａの内部で穿孔を介して２つの隣接する積層体４同士をクランプ結合するようする過程が追従するが、これも本発明の主題ではない。この作動周期の後、オイルは前記空間１６から解放され、そして前記空間１５へ供給されると、前記ピストンロッド９は１つの積層体４の厚み分だけ正確に変位する。さらに２つの隣接した積層体４にクランプを配置する次の動作周期へと引き継がれる。この過程はパッケージ５が完全に形成されるまで繰り返されて、その後イジェクタＢによって取り出される。
【００１３】
このようにして生産されたパッケージ５は、直ちに品質管理を受ける：しかし品質管理の結果は次のパッケージ製造周期に何ら影響するものではない。本発明の装置或いはパッケージを製造する装置の機能不全を示すエラーがパッケージ５に起きた場合には、作業は即座に中断される。その結果不具合品の数は公知の装置よりも著しく減少している。装置は直ちに修理状態に置かれる。従って保守にかかる時間は短縮され、これは本発明の目標でもある。
【００１４】
当事者は、添付の特許請求の範囲に定義されている発明の特徴を迂回することなく、上記開示とともに当事者の研究によって得た知識及び特に工業デザインという点でその実施形態並びに個々の要件への適応に基づいた新たな実施形態を構成することが可能であることが理解される。
【符号の説明】
【００１５】
１  パネル
２  ヨーク
３  製造装置
４  積層体
５  パッケージ
６  スリーブ
７  シリンダ
８  ピストン
９  ピストンロッド
９ａ  中央区分
９ｂ  外側部分
１０  パネル
１１  バネ
１２  穿孔
１４  ガスケット
１５、１６  空間
１７、１８  油圧式接続
１９  ガイド
２０  調節ネジ
２１、２２  検知器
Ａ  保持装置
Ｂ  イジェクタ
【図１】
2013509854.tif 000003
【国際調査報告】
2013509854.tif 000004
2013509854.tif 000005
2013509854.tif 000006